(57)【特許請求の範囲】
【請求項１】
極低温液体を貯留しうる内槽（１）と、前記内槽（１）の周面から側方へ突出した有底筒状の内センサ筒（２）と、前記内センサ筒（２）の内部に該内センサ筒（２）の周面に向けて設置された超伝導磁気センサ（３）と、前記内槽（１）との間に断熱層（４）を形成するように前記内槽（１）を包む外槽（５）と、前記超伝導磁気センサ（３）から前記内槽（１）を通って前記内槽（１）の上部から外部へ導出されているケーブル（８）と、前記超伝導磁気センサ（３）で計測する磁気を発生する脊髄を通している脊椎（Ａ）の部分を前記内センサ筒（２）が突出している方向にＸ線撮影するためのＸ線撮影手段（２０，２２）とを有する超伝導磁気計測装置であって、Ｘ線画像上で前記脊椎（Ａ）の部分に前記ケーブル（８）が重なって写る位置を通らないように前記ケーブル（８）を係止するケーブル係止手段（１０）を設けたことを特徴とする超伝導磁気計測装置（１００）。
【請求項２】
請求項１に記載の超伝導磁気計測装置（１００）において、前記ケーブル係止手段（１０）が、前記超伝導磁気センサ（３）の投影に係るＸ線ビーム（２１）の水平範囲外の位置であって且つ前記内槽（１）の上部の内壁に設置されたフック（１０）であることを特徴とする超伝導磁気計測装置（１００）。
【発明の詳細な説明】
【技術分野】
【０００１】
本発明は、超伝導磁気計測装置に関し、さらに詳しくは、被検体の脊髄で発生する微弱な磁気を好適に測定することが出来る超伝導磁気計測装置に関する。
【背景技術】
【０００２】
従来、液体ヘリウムを貯留しうる内槽と、内槽の周面から側方へ突出したセンサ筒と、センサ筒の内部にセンサ筒の先端面または下方もしくは上方の周面に向けて設置された超伝導磁気センサと、内槽との間に断熱空間を形成するように内槽を包む外槽とを具備した超伝導磁気計測装置が知られている（例えば、特許文献１参照。）。
他方、センサ筒の内部にセンサ筒の先端面に向けて設置された超伝導磁気センサと、超伝導磁気センサで計測する磁気を発生する脊髄を通している脊椎を内センサ筒が突出している方向と直交する方向にＸ線撮影するためのＸ線撮影手段とを具備した超伝導磁気計測装置が知られている（例えば、特許文献２参照。）。
【特許文献１】特開２００６−０９８０５３号公報（図７〜図１０）
【特許文献２】国際公開ＷＯ２００７／０９９６９７号公報（図１）
【発明の開示】
【発明が解決しようとする課題】
【０００３】
特許文献１に記載の超伝導磁気計測装置では、超伝導磁気センサをセンサ筒の先端面に向けて設置した場合は被検体の垂直面にセンサ筒の先端面を当てるようにして測定できるから、座った被検体の脊髄で発生する微弱な磁気を測定できる。また、超伝導磁気センサをセンサ筒の下方の周面に向けて設置した場合は被検体の水平方向の上面にセンサ筒の下方の周面を当てるようにして測定できるから、腹這いに寝た被検体の脊髄で発生する微弱な磁気を測定できる。また、超伝導磁気センサをセンサ筒の上方の周面に向けて設置した場合は被検体の水平方向の下面にセンサ筒の下方の周面を当てるようにして測定できるから、仰向けに寝た被検体の脊髄で発生する微弱な磁気を測定できる。
他方、特許文献２に記載の超伝導磁気計測装置では、超伝導磁気センサをセンサ筒の先端面に向けて設置しているから、座った被検体の脊髄で発生する微弱な磁気を測定できる。そして、Ｘ線画像を基に被検体の脊椎と超伝導磁気センサの位置関係を判読することが出来る。
【０００４】
さて、超伝導磁気センサをセンサ筒の先端面に向けて設置した場合は、特許文献２に記載の超伝導磁気計測装置のように、被検体の脊椎をＸ線撮影する視野中に内槽が入らなかった。このため、超伝導磁気センサから内槽を通って内槽の上部から外部へ導出されているケーブルがＸ線画像中で被検体の脊椎と重なることがなく、Ｘ線画像の判読に支障を生じなかった。
ところが、超伝導磁気センサをセンサ筒の周面に向けて設置した場合は、被検体の脊椎をＸ線撮影する視野中に内槽が入ってしまい、内槽を通って内槽の上部から外部へ導出されているケーブルがＸ線画像中で被検体の脊椎と重なることがあり、Ｘ線画像の判読に支障を生じることがあった。
そこで、本発明の目的は、超伝導磁気センサをセンサ筒の周面に向けて設置した超伝導磁気計測装置において、Ｘ線画像を基にした被検体の脊椎と超伝導磁気センサの位置関係の判読にケーブルが支障を生じないようにした超伝導磁気計測装置を提供することにある。
【課題を解決するための手段】
【０００５】
第１の観点では、本発明は、極低温液体を貯留しうる内槽（１）と、前記内槽（１）の周面から側方へ突出した有底筒状の内センサ筒（２）と、前記内センサ筒（２）の内部に該内センサ筒（２）の周面に向けて設置された超伝導磁気センサ（３）と、前記内槽（１）との間に断熱空間（４）を形成するように前記内槽（１）を包む外槽（５）と、前記超伝導磁気センサ（３）から前記内槽（１）を通って前記内槽（１）の上部から外部へ導出されているケーブル（８）と、前記超伝導磁気センサ（３）で計測する磁気を発生する脊髄を通している脊椎（Ａ）の部分を前記内センサ筒（２）が突出している方向にＸ線撮影するためのＸ線撮影手段（２０，２２）とを有する超伝導磁気計測装置であって、Ｘ線画像上で前記脊椎（Ａ）の部分に前記ケーブル（８）が重なって写る位置を通らないように前記ケーブル（８）を係止するケーブル係止手段（１０）を設けたことを特徴とする超伝導磁気計測装置（１００）を提供する。
上記第１の観点による超伝導磁気計測装置（１００）では、ケーブル係止手段（１０）でケーブル（８）を係止することにより、超伝導磁気センサ（３）との位置関係を判読するための脊椎（Ａ）の部分がケーブル（８）とＸ線画像上で重なって写らないようにすることが出来る。従って、Ｘ線画像を基にした被検体の脊椎（Ａ）と超伝導磁気センサ（３）の位置関係の判読にケーブル（８）が支障を生じるのを回避することが出来る。
【０００６】
第２の観点では、本発明は、前記第１の観点による超伝導磁気計測装置（１００）において、前記ケーブル係止手段（１０）が、前記超伝導磁気センサ（３）の投影に係るＸ線ビーム（２１）の水平範囲外の位置であって且つ前記内槽（１）の上部の内壁に設置されたフック（１０）であることを特徴とする超伝導磁気計測装置（１００）を提供する。
上記第２の観点による超伝導磁気計測装置（１００）では、フック（１０）から内槽（１）の内壁に沿って垂下するケーブル（８）が、超伝導磁気センサ（３）を投影するＸ線ビーム（２１）の水平範囲外または超伝導磁気センサ（３）がＸ線ビーム（２１）で投影される水平範囲外を通る。このため、超伝導磁気センサ（３）との位置関係を判読するための脊椎（Ａ）の部分がケーブル（８）とＸ線画像上で重なって写らない。従って、Ｘ線画像を基にした被検体の脊椎（Ａ）と超伝導磁気センサ（３）の位置関係の判読にケーブル（８）が支障を生じるのを回避することが出来る。
【発明の効果】
【０００７】
本発明の超伝導磁気計測装置によれば、超伝導磁気センサをセンサ筒の周面に向けて設置した超伝導磁気計測装置において、ケーブルに邪魔されずに、被検体の脊椎と超伝導磁気センサの位置関係をＸ線画像から判読することが出来る。
【発明を実施するための最良の形態】
【０００８】
以下、図に示す実施例により本発明をさらに詳細に説明する。なお、これにより本発明が限定されるものではない。
【実施例１】
【０００９】
図１は、実施例１に係る超伝導磁気計測装置１００を示す上面図である。図２は、内部構造を説明するための破断上面図である。
この超伝導磁気計測装置１００は、極低温液体（例えば液体窒素や液体ヘリウム）を貯留しうる内槽１と、蓋９と、内槽１の周面から側方へ突出した有底筒状の内センサ筒２と、内センサ筒２の内部に該内センサ筒２の上方の周面に向けて設置された複数の超伝導磁気センサ３と、内槽１および内センサ筒２との間に断熱空間４を形成するように内槽１および内センサ筒２を包む外槽５および外センサ筒６と、超伝導磁気センサ３から内槽１を通って内槽１の上部から外部へ導出されているケーブル８と、超伝導磁気センサ３で計測する磁気を発生する脊髄を通している脊椎Ａの部分を内センサ筒２が突出している方向にＸ線撮影するためのＸ線源２０およびＸ線撮影用フィルム２２と、超伝導磁気センサ３を投影するＸ線ビーム２１の水平範囲外の位置であって且つ内槽１の上部の内壁に設置されたフック１０とを具備している。
なお、ケーブル８は、一部のみ図示している。
【００１０】
フック１０は、非磁性材料製であり、例えばＦＲＰ（繊維強化プラスチック），アルミ，銅，チタンなどである。
ケーブル８は、フック１０に係止され、内槽１の内壁に沿って垂下している。
【００１１】
図３は、超伝導磁気計測装置１００の側面図である。図４は、内部構造を説明するための破断側面図である。
【００１２】
図５は、超伝導磁気計測装置１００の正面図である。図６は、内部構造を説明するための破断正面図である。
【００１３】
実施例１の超伝導磁気計測装置１００によれば、ケーブル８が、超伝導磁気センサ３を投影するＸ線ビーム２１の水平範囲外を通る。このため、超伝導磁気センサ３との位置関係を判読するための脊椎Ａの部分がケーブル８とＸ線画像上で重なって写らない。従って、Ｘ線画像を基にした被検体の脊椎Ａと超伝導磁気センサ３の位置関係の判読にケーブル８が支障を生じるのを回避することが出来る。
【実施例２】
【００１４】
Ｘ線源２０とＸ線撮影用フィルム２２の位置を実施例１と逆にしてもよい。この場合は、超伝導磁気センサ３がＸ線ビーム２１で投影される水平範囲外の位置であって且つ内槽１の上部の内壁にフック１０を設置する。
【実施例３】
【００１５】
超伝導磁気センサ３を投影するＸ線ビーム２１の水平範囲外の位置又は超伝導磁気センサ３がＸ線ビーム２１で投影される水平範囲外の位置であって且つ内槽１の上部の内壁に非磁性材料製の環状部材を設置し、その環状部材に非磁性材料製のＳ字部材の上部を引っ掛け、Ｓ字部材の下部にケーブル８を引っ掛けるようにしてもよい。
Ｓ字部材は、例えば直径１ｍｍ〜１０ｍｍ、長さ１ｃｍ〜３０ｃｍのアルミ，銅，チタンなどの針金をＳ字に曲げたものである。
【実施例４】
【００１６】
超伝導磁気センサ３を内センサ筒２の下方の周面に向けて設置してもよい。
また、超伝導磁気センサ３を内センサ筒２の横方向の周面に向けて設置してもよい。
【産業上の利用可能性】
【００１７】
人の脊髄および脊髄神経で発生する微弱な磁気を測定する装置として利用することが出来る。
【図面の簡単な説明】
【００１８】
【図１】実施例１に係る超伝導磁気計測装置を示す上面図である。
【図２】実施例１に係る超伝導磁気計測装置の内部構造を説明するための破断上面図である。
【図３】実施例１に係る超伝導磁気計測装置を示す側面図である。
【図４】実施例１に係る超伝導磁気計測装置の内部構造を説明するための破断側面図である。
【図５】実施例１に係る超伝導磁気計測装置を示す正面図である。
【図６】実施例１に係る超伝導磁気計測装置の内部構造を説明するための破断正面図である。
【符号の説明】
【００１９】
１                  内槽
２                  内センサ筒
３                  超伝導磁気センサ
４                  断熱空間
５                  外槽
６                  外センサ筒
８                  ケーブル
１０                フック
２０                Ｘ線源
２１                Ｘ線ビーム
２２                Ｘ線撮影用フィルム
１００              超伝導磁気計測装置
【図１】
0005126782.tif 000002
【図２】
0005126782.tif 000003
【図３】
0005126782.tif 000004
【図４】
0005126782.tif 000005
【図５】
0005126782.tif 000006
【図６】
0005126782.tif 000007